(57)【要約】【課題】各種操作ボタンの組込み性および外観意匠を向上させた空気調和機の送信装置を提供する。【解決手段】空気調和機（図示せず）を遠隔操作する空気調和機の送信装置において、複数の開口孔（図示せず）を有する外郭上ケース（図示せず）と、前記空気調和機を遠隔操作する際に操作されると共に前記開口孔より突出する運転モードボタン２を一体に形成したゴムセッテン１３を備え、前記開口孔の外周に延出した突起（図示せず）を設け、前記ゴムセッテン１３に前記突起を挟み込む位置決めリブ１８を設けたもので、運転モードボタン２の組込み性および外観意匠を向上させることができる。【選択図】図８
2011012915.tif 000002
【特許請求の範囲】
【請求項１】
空気調和機を遠隔操作する空気調和機の送信装置において、複数の開口孔を有する外郭上ケースと、前記空気調和機を遠隔操作する際に操作されると共に前記開口孔より突出する操作ボタンを一体に形成したゴムセッテンを備え、前記開口孔の外周に延出した突起を設け、前記ゴムセッテンに前記突起を挟み込む位置決め手段を設けたことを特徴とする空気調和機の送信装置。
【請求項２】
空気調和機を遠隔操作する空気調和機の送信装置において、複数の開口孔を有する外郭上ケースと、前記空気調和機を遠隔操作する際に操作されると共に前記開口孔より突出する操作ボタンを一体に形成したゴムセッテンを備え、前記開口孔の外周に延出した突起を設け、前記ゴムセッテンに前記突起が嵌まり込む位置決め孔を設けたことを特徴とする空気調和機の送信装置。
【請求項３】
操作ボタンとして、「冷房」、「暖房」、「除湿」、「自動」などの運転モードを選択するための運転モードボタンを設け、位置決めリブ又は位置決め孔を前記運転モードボタンの中央に設けたことを特徴とする請求項１又は２に記載の空気調和機の送信装置。
【発明の詳細な説明】
【技術分野】
【０００１】
本発明は、空気調和機の送信装置に関するものである。
【背景技術】
【０００２】
従来のこの種の空気調和機を遠隔操作する送信装置の送信装置本体１のおもて面は、図１０、図１１に示すように、基本機能である「冷房」、「暖房」、「除湿」、「自動」といった運転モードボタン２と、室内の設定温度を上げ下げ調整できる温度設定ボタン３と、送風の風量を調整できる風量設定ボタン４と、風の向きを調整できる風向設定ボタン５と、運転停止ボタン６と、切タイマーボタン７と、運転設定状況を知らせる液晶表示装置８で構成されている。以下、運転モードボタン２、温度設定ボタン３、風量設定ボタン４、風向設定ボタン５、運転停止ボタン６、切タイマーボタン７等を「操作ボタン」という。
【０００３】
前記送信装置本体１は、以下のように組立てられる。まず、外郭上ケース９のおもて面に化粧板１０を前記外郭上ケース９の開口孔１１に相対するよう貼り付け、前記外郭上ケース９のうら面から前記液晶表示装置８を取り付ける。前記液晶表示装置８と通電するためカーボンのゼブラゴム１２と各種操作ボタンが一体となったゴムセッテン１３を前記外郭上ケース９に開口した開口孔１１と各種操作ボタンがずれないように取り付け、前記外郭上ケース９と電子制御装置１４で、前記液晶表示装置８と前記ゴムセッテン１３を挟み込んでいる。
【０００４】
前記液晶表示装置８と前記電子制御装置１４は、前記ゼブラゴム１２を介して導通する。また、前記ゴムセッテン１３の各種操作ボタンの裏には、前記電子制御装置１４と導通するように、カーボン接点（図示せず）があり各種操作ボタンを押すことでＯＮ／ＯＦＦを行う。前記外郭上ケース９と電子制御装置１４の間に挟み込んだ後、複数個の固定用ネジ（図示せず）で外郭上ケース９と電子制御装置１４を固定する。
【０００５】
前記送信装置本体１のうら面である外郭下ケース１５に、電池（図示せず）を通電させる電極（図示せず）を取り付け、外郭上ケース９に固定されたゴムセッテン１３、液晶表示装置８さらに外郭上ケース９と固定した電子制御装置１４を覆うように前記外郭下ケース１５を固定する。外郭下ケース１５には、電池を収納する電池ケース１５ａがあり、電池蓋１６で覆う（先行技術文献なし）。
【発明の概要】
【発明が解決しようとする課題】
【０００６】
しかしながら、上記従来の空気調和機の送信装置の構成では、外郭上ケース９に、各種操作ボタンが一体となったゴムセッテン１３を、各種操作ボタンが送信装置本体１の上面に飛び出すように開口孔１１に挿入し、電子制御装置１４で前記外郭上ケース９と挟み込む組立作業での位置決めが困難であり、前記外郭上ケース９の開口孔１１と前記各種操作ボタンのずれが発生していた。また外郭上ケース９の開口孔１１と各種操作ボタンのずれなく組立てられた状態でも、特に操作ボタンが接近した運転モードボタン２が操作時にずれやすいという課題があった。
【０００７】
本発明は、上記従来の課題を解決するもので、各種操作ボタンの組込み性および外観意匠を向上させた空気調和機の送信装置を提供することを目的とする。
【課題を解決するための手段】
【０００８】
前記従来の課題を解決するために、本発明の空気調和機の送信装置は、複数の開口孔を有する外郭上ケースと、空気調和機を遠隔操作する際に操作されると共に前記開口孔より突出する操作ボタンを一体に形成したゴムセッテンを備え、前記開口孔の外周に延出した突起を設け、前記ゴムセッテンに前記突起を挟み込む位置決め手段を設けたもので、操作ボタンの組込み性および外観意匠を向上させることができる。
【０００９】
また、本発明の空気調和機の送信装置は、複数の開口孔を有する外郭上ケースと、空気調和機を遠隔操作する際に操作されると共に前記開口孔より突出する操作ボタンを一体に形成したゴムセッテンを備え、前記開口孔の外周に延出した突起を設け、前記ゴムセッテンに前記突起が嵌まり込む位置決め孔を設けたもので、操作ボタンの組込み性および外観意匠を向上させることができる。
【発明の効果】
【００１０】
本発明の空気調和機の送信装置は、操作ボタンの組込み性および外観意匠を向上させることができるという効果を奏する。
【図面の簡単な説明】
【００１１】
【図１】本発明の実施の形態１における空気調和機の送信装置の正面外観図
【図２】同送信装置の分解斜視図
【図３】同送信装置の外郭上ケースの正面斜視図
【図４】同外郭上ケースの裏面斜視図
【図５】同外郭上ケースの裏面寸法図
【図６】同外郭上ケースの断面図（図５のＡ−Ａ断面）
【図７】同送信装置のゴムセッテンの正面斜視図
【図８】同ゴムセッテンの正面図
【図９】同ゴムセッテンの断面図（図８のＢ−Ｂ断面）
【図１０】従来の空気調和機の送信装置の正面外観図
【図１１】同送信装置の分解斜視図
【発明を実施するための形態】
【００１２】
第１の発明は、空気調和機を遠隔操作する空気調和機の送信装置において、複数の開口孔を有する外郭上ケースと、前記空気調和機を遠隔操作する際に操作されると共に前記開口孔より突出する操作ボタンを一体に形成したゴムセッテンを備え、前記開口孔の外周に延出した突起を設け、前記ゴムセッテンに前記突起を挟み込む位置決め手段を設けたもので、操作ボタンの組込み性および外観意匠を向上させることができる。
【００１３】
第２の発明は、空気調和機を遠隔操作する空気調和機の送信装置において、複数の開口孔を有する外郭上ケースと、前記空気調和機を遠隔操作する際に操作されると共に前記開口孔より突出する操作ボタンを一体に形成したゴムセッテンを備え、前記開口孔の外周に延出した突起を設け、前記ゴムセッテンに前記突起が嵌まり込む位置決め孔を設けたもので、操作ボタンの組込み性および外観意匠を向上させることができる。
【００１４】
第３の発明は、特に、第１又は第２の発明の操作ボタンとして、「冷房」、「暖房」、「除湿」、「自動」などの運転モードを選択するための運転モードボタンを設け、位置決めリブ又は位置決め孔を前記運転モードボタンの中央に設けたもので、操作ボタンが一体となったゴムセッテンを操作した時、操作ボタンの中央に、外郭上ケースから延出した突起との位置決めがあることにより操作ボタンがずれなく、操作性を向上させることができる。
【００１５】
以下本発明の実施の形態について、図面を参照しながら説明する。なお、この実施の形
態によって本発明が限定されるものではない。
【００１６】
（実施の形態１）
図１は、本発明の実施の形態１における空気調和機の送信装置の正面外観図、図２は、同送信装置の分解斜視図、図３は、同送信装置の外郭上ケースの正面斜視図、図４は、同外郭上ケースの裏面斜視図、図５は、同外郭上ケースの裏面寸法図、図６は、同外郭上ケースの断面図（図５のＡ−Ａ断面）、図７は、同送信装置のゴムセッテンの正面斜視図、図８は、同ゴムセッテンの正面図、図９は、同ゴムセッテンの断面図（図８のＢ−Ｂ断面）である。
【００１７】
尚、上記従来の空気調和機の送信装置と同一部分には、同一符号を付して、その説明を省略する。
【００１８】
本実施の形態における空気調和機の送信装置は、図４〜９に示すように、外郭上ケース９の開口孔１１の外周に延出した突起１７を設け、ゴムセッテン１３に、前記突起１７に相対すると共に突起１７を挟み込んで位置決めする位置決め手段として位置決めリブ１８を設けて、ゴムセッテン１３の外郭上ケース９への取り付け位置が常に一定になるようにしたものである。
【００１９】
本実施の形態における空気調和機の送信装置は、以上のように構成されているので、ゴムセッテン１３を外郭上ケース９に取り付けたときに、外郭上ケース９の開口孔１１と各種操作ボタンがずれることがない。
【００２０】
上記実施の形態では、ゴムセッテン１３に、外郭上ケース９の開口孔１１の外周に設けた突起１７を挟み込む位置決めリブ１８を設けたが、その位置決めリブ１８の代わりに、突起１７が嵌る位置決め孔（図示せず）を、ゴムセッテン１３に設けても同様の効果があることは、言うまでもない。
【００２１】
また、操作ボタンの位置決めを行なうための位置決めリブ１８や位置決め孔を、運転モードボタン２の中央に設けるようにすれば、運転モードボタン２と外郭上ケース９が位置決めできる効果のほかに、運転操作を行うため必ず操作する運転モードボタン２を操作する時、操作ボタンの操作ずれを確実に防止できるものである。
【産業上の利用可能性】
【００２２】
以上のように、本発明にかかる空気調和機の送信装置は、各種操作ボタンの組込み性に優れまた外観意匠も向上するもので、空気調和機に限らず色々な機器用の送信装置に適用できる。
【符号の説明】
【００２３】
２  運転モードボタン（操作ボタン）
３  温度設定ボタン（操作ボタン）
４  風量設定ボタン（操作ボタン）
５  風向設定ボタン（操作ボタン）
６  運転停止ボタン（操作ボタン）
７  切りタイマーボタン（操作ボタン）
１１  開口孔
１３  ゴムセッテン
１７  突起
１８  位置決めリブ（位置決め手段）
【図３】
2011012915.tif 000003
【図４】
2011012915.tif 000004
【図５】
2011012915.tif 000005
【図１】
2011012915.tif 000006
【図２】
2011012915.tif 000007
【図６】
2011012915.tif 000008
【図７】
2011012915.tif 000009
【図８】
2011012915.tif 000010
【図９】
2011012915.tif 000011
【図１０】
2011012915.tif 000012
【図１１】
2011012915.tif 000013